(57)【要約】      （修正有）【課題】特殊形状ヘッドを有する塗付装置を提供する。【解決手段】ブラシロッド３の末端に固定的に接続する塗付本体４及び中栓５を含み、塗付本体４の径方向断面は非円形の特殊形状であり、中栓５は容器１の開口に固定される固定部と固定部の下端に設けられる回転部とを含み、回転部は、円周方向に回転し、他の方向に係止され、ブラシロッド３がくっついて通過し塗付本体４にある過度の化粧品を拭取る擦り落とし孔が回転部の軸方向に設けられ、擦り落とし孔の径方向断面形状とブラシロッド３の径方向断面形状は、塗付本体４の径方向断面にマッチし、蓋２を開ける又は閉める時に、蓋２はブラシロッド３と回転部とを固定部に対して回転させる。ブラシロッド３及び中栓５の擦り落とし孔が塗付本体４とマッチする形状に設計されており、中栓５が回転可能な上下層の構造として設計されている。【選択図】図１
0003216906.tif 000002
【実用新案登録請求の範囲】
【請求項１】
一端に開口し化粧品を収納する容器（１）、前記容器（１）の開口を開閉する蓋（２）、及び前記蓋（２）から前記容器（１）内に延伸して形成されているブラシロッド（３）を含む特殊形状ヘッドを有する塗付装置であって、
塗付本体（４）及び中栓（５）をさらに含み、
前記塗付本体（４）は前記ブラシロッド（３）の末端に固定的に接続し、前記塗付本体（４）の径方向断面は非円形の特殊形状であり、前記中栓（５）は前記容器（１）の開口に固定される固定部（５１）と前記固定部（５１）の下端に設けられる回転部（５２）とを含み、前記回転部（５２）は、円周方向に回転し、他の方向に係止されており、
前記ブラシロッド（３）がくっついて通過し前記塗付本体（４）にある過度の化粧品を拭取る擦り落とし孔（５２１）が前記回転部（５２）の軸方向に設けられ、前記擦り落とし孔（５２１）の径方向断面形状と前記ブラシロッド（３）の径方向断面形状は、前記塗付本体（４）の径方向断面にマッチし、前記蓋（２）を開ける又は閉める時に、前記蓋（２）は前記ブラシロッド（３）と前記回転部（５２）とを前記固定部（５１）に対して回転させる
ことを特徴とする特殊形状ヘッドを有する塗付装置。
【請求項２】
前記ブラシロッド（３）、前記擦り落とし孔（５２１）、及び前記塗付本体（４）の径方向断面は、すべて、楕円形、三角形、正方形、又は正五角形である
ことを特徴とする請求項１に記載の特殊形状ヘッドを有する塗付装置。
【請求項３】
前記塗付本体（４）は、睫毛を塗付けるマスカラヘッド、唇を塗付ける綿ヘッド、又はアイラインを入れるアイライナーヘッドである
ことを特徴とする請求項１に記載の特殊形状ヘッドを有する塗付装置。
【請求項４】
前記塗付本体（４）はマスカラヘッドであり、前記塗付本体（４）の前記径方向断面は燕尾形である
ことを特徴とする請求項３に記載の特殊形状ヘッドを有する塗付装置。
【請求項５】
前記マスカラヘッドは、鉄線（４１）と、前記鉄線（４１）に巻き付いて燕尾形を構成する複数本のナイロン毛（４２）とを含み、
各前記ナイロン毛（４２）は、末端に弧度を有し、円周方向に均一分布している
ことを特徴とする請求項４に記載の特殊形状ヘッドを有する塗付装置。
【請求項６】
前記蓋（２）の一端の内周側は前記容器（１）の開口の外周側と緊密にねじ接続する
ことを特徴とする請求項１に記載の特殊形状ヘッドを有する塗付装置。
【請求項７】
前記固定部（５１）は下端にフック（５１１）を有し、前記回転部（５２）は上端に前記フック（５１１）に対応する止め輪（５２２）を有し、
前記止め輪（５２２）は、前記フック（５１１）に対して周方向に回転し、他の方向に係止される
ことを特徴とする請求項１に記載の特殊形状ヘッドを有する塗付装置。
【請求項８】
前記ブラシロッド（３）は末端に挿入孔（３１）が設けられ、前記塗付本体（４）は一端に挿入ロッド（４３）が設けられ、前記挿入ロッド（４３）は前記挿入孔（３１）に挿入して保持される
ことを特徴とする請求項１に記載の特殊形状ヘッドを有する塗付装置。
【考案の詳細な説明】
【技術分野】
【０００１】
本考案は、化粧品の塗付装置に関し、より具体的には、特殊形状ヘッドを有する塗付装置に関する。
【背景技術】
【０００２】
化粧をする時に、マスカラ、リップスティック、又はアイライナーなどはよく用いられ、目と唇を美しくする。これらの化粧品は専門塗付装置で使用され、こうした塗付装置は、普通、化粧品を収納する容器と、容器の開口を開閉する蓋と、蓋から容器内に延伸して形成されるブラシロッドと、ブラシロッドの末端に形成される塗付本体と、塗付本体にある過度の化粧品を拭取る、容器の開口に設けられる中栓とを含む。塗付本体に応じて、塗付装置は、マスカラ装置、リップスティック装置、又はアイライナー装置などであり、これらの塗付本体は、それぞれ、マスカラヘッド、綿ヘッド、及びアイライナーヘッドである。
【０００３】
塗付本体の形状が異なることにより、塗付装置は異なる機能を持ち、例えば、マスカラ装置の塗付本体は、三角形ブラシ、四角形ブラシ、五角形ブラシ、楕円ブラシ、又は燕尾形ブラシなどの非円形の特殊形状ヘッドを有する。ブラシロッドを容器から取り出す時に、ブラシにある過剰量のマスカラ液を擦り落とす必要がある。従来の塗付装置は、通常、断面が円形をなすブラシロッドが貫通孔が円形をなす中栓に対応して設けられているため、円形孔の中栓が特殊形状ヘッドを擦り落とす時に、きれいに擦り落とせず、化粧品が堆積するという問題がある。例えば、円形の中栓は燕尾形の２つの弧形の間にある化粧品をきれいに擦り落とせない。
【考案の概要】
【考案が解決しようとする課題】
【０００４】
上述の技術課題を解決するため、本考案は、特殊形状ヘッドを有する塗付装置を提供し、ブラシロッド及び中栓の擦り落とし孔が特殊形状ヘッドとマッチする形状に設計されており、中栓が回転可能な構造として設計されていることで、特殊形状ヘッドをきれいに擦り落とせず化粧品が堆積するという問題が解決できる。
【課題を解決するための手段】
【０００５】
本考案は、以下のように実現される。
本考案の特殊形状ヘッドを有する塗付装置は、
一端に開口し化粧品を収納する容器（１）、容器（１）の開口を開閉する蓋（２）、及び蓋（２）から容器（１）内に延伸し形成されるブラシロッド（３）を含み、
塗付本体（４）及び中栓（５）をさらに含み、
塗付本体（４）はブラシロッド（３）の末端に固定的に接続し、塗付本体（４）の径方向断面は非円形の特殊形状であり、中栓（５）は前記容器（１）の開口に固定される固定部（５１）と固定部（５１）の下端に設けられる回転部（５２）とを含み、回転部（５２）は円周方向に回転し、他の方向に係止されており、
ブラシロッド（３）がくっついて通過し塗付本体（４）にある過度の化粧品を拭取る擦り落とし孔（５２１）が回転部（５２）の軸方向に設けられ、擦り落とし孔（５２１）の径方向断面形状とブラシロッド（３）の径方向断面形状は、塗付本体（４）の径方向断面にマッチし、蓋（２）を開ける又は閉める時に、蓋（２）はブラシロッド（３）と回転部（５２）とを固定部（５１）に対して回転させる。
【０００６】
好ましくは、ブラシロッド（３）、擦り落とし孔（５２１）、及び塗付本体（４）の径方向断面は、すべて、楕円形、三角形、正方形、又は正五角形である。
【０００７】
好ましくは、塗付本体（４）は、睫毛を塗付けるマスカラヘッド、唇を塗付ける綿ヘッド、又はアイラインを入れるアイライナーヘッドである。
【０００８】
好ましくは、塗付本体（４）はマスカラヘッドであり、塗付本体（４）の径方向断面は燕尾形である。
【０００９】
好ましくは、マスカラヘッドは、鉄線（４１）と、鉄線（４１）に巻き付いて燕尾形を構成する複数本のナイロン毛（４２）とを含み、各ナイロン毛（４２）は、末端に弧度を有し、円周方向に均一分布している。
【００１０】
好ましくは、蓋（２）の一端の内周側は容器（１）の開口の外周側と緊密にねじ接続する。
【００１１】
好ましくは、固定部（５１）は下端にフック（５１１）を有し、回転部（５２）は上端に前記フック（５１１）に対応する止め輪（５２２）を有し、止め輪（５２２）は、フック（５１１）に対して周方向に回転し、他の方向に係止される。
【００１２】
好ましくは、ブラシロッド（３）は末端に挿入孔（３１）が設けられ、塗付本体（４）は一端に挿入ロッド（４３）が設けられ、挿入ロッド（４３）は挿入孔（３１）に挿入して保持される。
【考案の効果】
【００１３】
本考案の効果は、本考案の提供する特殊形状ヘッドを有する塗付装置は、径方向断面が非円形の特殊形状である塗付本体を含み、ブラシロッド及び中栓の擦り落とし孔が塗付本体に対応する形状に設計されており、中栓が回転可能な上下層の構造として設計されていることで、特殊形状ヘッドをきれいに擦り落とせず化粧品が堆積するという問題が解決できる。本考案の作動原理は以下のとおりである。塗付本体の径方向断面が円形ではない特殊形状で、ブラシロッドと中栓の擦り落とし孔とが円形孔であるため、中栓の擦り落とし孔で塗付本体を擦り落とすときにきれいにできないという問題がある。きれいに擦り落とすため、本考案では、ブラシロッド及び中栓の擦り落とし孔の形状は塗付本体の特殊形状に対応するように設計されている。但し、特殊形状のブラシロッドでは、蓋とブラシロッドとが円形孔の中栓に対して回転できない。このため、本考案では、中栓は、上層が開口に固定される固定部で、下層が固定部と容器の円周方向に回転する回転部である上下層の構造として設計されている。これにより、蓋及びブラシロッドの回転に伴い、中栓の下層が回転するので、使用は妨げられない。好ましくは、ブラシロッド、擦り落とし孔、及び塗付本体の径方向断面は、すべて、非円形で、楕円形、三角形、正方形、又は正五角形であり、塗付装置の異なる形状の塗付本体の要求を満たすため、不規則な形状の他の特殊形状でもよい。さらに、塗付本体は、実際の要求に基づいて、異なる機能の特殊ヘッド、例えば、睫毛を塗付けるマスカラヘッド、唇を塗付ける綿ヘッド、又はアイラインを入れるアイライナーヘッドとして設計されてもよく、これにより、異なる機能の塗付装置、例えば、マスカラ装置、リップスティック装置、又はアイライナー装置などを構成できる。本考案は、特殊要求として、マスカラヘッドの径方向断面を燕尾形として、即ち、円形の対向する両側の一部分を除いて形成される形状として設計されてもよい。
【図面の簡単な説明】
【００１４】
【図１】本考案の構造を示す図である。
【図２】図１のＢ−Ｂ断面からＡ方向に沿った断面図である。
【図３】図１のＢ−Ｂ断面を示す図である。
【図４】本考案の中栓の構造を示す図である。
【図５】本考案の楕円の擦り落とし孔を有する中栓の構造を示す図である。
【図６】本考案の正五角形の擦り落とし孔を有する中栓の構造を示す図である。
【図７】本考案の三角形の擦り落とし孔を有する中栓の構造を示す図である。
【図８】本考案の正方形の擦り落とし孔を有する中栓の構造を示す図である。
【図９】本考案の実施例の塗付本体の構造を示す図である。
【図１０】図９の塗付本体の径方向断面の構造を示す図である。
【考案を実施するための形態】
【００１５】
以下の記載と、本考案の実施例の説明に用いられる図面により、本考案は、より明確なものとなる。
【００１６】
図１、２、３と４に示すように、特殊形状ヘッドを有する塗付装置は、一端に開口し化粧品を収納する容器（１）、容器（１）の開口を開閉する蓋（２）、及び蓋（２）から容器内に延伸して形成されているブラシロッド（３）を含み、さらに、塗付本体（４）及び中栓（５）を含む。塗付本体（４）はブラシロッド（３）の末端に固定的に接続し、塗付本体（４）の径方向断面は非円形の特殊形状である。中栓（５）は容器（１）の開口に固定される固定部（５１）と固定部（５１）の下端に設けられる回転部（５２）とを含む。回転部（５２）は円周方向に回転し、他の方向に係止される。ブラシロッド（３）がくっついて通過する擦り落とし孔（５２１）は回転部（５２）の軸方向に設けられ、塗付本体（４）にある過度の化粧品を擦り落とす。擦り落とし孔（５２１）の径方向断面形状とブラシロッド（３）の径方向断面形状とは、塗付本体（４）の径方向断面にマッチする。蓋（２）を開ける又は閉める時に、蓋（２）はブラシロッド（３）と回転部（５２）とを固定部（５１）に対して回転させる。上述の構造において、塗付装置は径方向断面が非円形の特殊形状である塗付本体を含み、ブラシロッド及び中栓の擦り落とし孔の形状が塗付本体の形状に対応して設けられており、中栓が回転可能な上下層の構造として設けられていることで、特殊形状ヘッドをきれいに擦り落とせず、化粧品が堆積するという問題を解決できる。本考案の作動原理は以下のとおりである。塗付本体の径方向断面が円形ではない特殊形状で、ブラシロッドと中栓の擦り落とし孔とが円形孔であるため、中栓の擦り落とし孔で塗付本体を擦り落とすときにきれいにできないという問題がある。きれいに擦り落とすため、本考案では、ブラシロッド及び中栓の擦り落とし孔の形状は塗付本体の特殊形状に対応するように設計されている。但し、特殊形状のブラシロッドでは、蓋とブラシロッドとが円形孔の中栓に対して回転できない。このため、本考案では、中栓は、上層が開口に固定される固定部で、下層が固定部と容器の円周方向に回転する回転部である上下層として設計されている。これにより、蓋及びブラシロッドの回転に伴い、中栓の下層が回転するので、使用は妨げられない。
【００１７】
好ましくは、ブラシロッド、擦り落とし孔、及び塗付本体の径方向断面は、すべて、楕円形、三角形、正方形、又は正五角形である。好ましくは、ブラシロッド、中栓の擦り落とし孔、及び塗付本体は、楕円形、三角形、正方形、又は正五角形などの非円形特殊形状に設計されてもよいが、これに限らず、塗付装置の異なる形状の塗付本体の要求を満たすため、不規則な形状の他の特殊形状でもよい。図５は、本考案の楕円形の擦り落とし孔を有する中栓の構造を示す図である。図６は、本考案の正五角形の擦り落とし孔を有する中栓の構造を示す図である。図７は、本考案の三角形の擦り落とし孔を有する中栓の構造を示す図である。図８は、本考案の正方形の擦り落とし孔を有する中栓の構造を示す図である。
【００１８】
好ましくは、塗付本体は、睫毛を塗付けるマスカラヘッド、唇を塗付ける綿ヘッド、又はアイラインを入れるアイライナーヘッドである。塗付本体は、実際の要求に基づいて、異なる機能の特殊ヘッドとして設計されてもよく、これにより異なる機能の塗付装置、例えば、マスカラ装置、リップスティック装置、又はアイライナー装置などを構成できる。
【００１９】
好ましくは、図９に示すように、塗付本体（４）はマスカラヘッドで、径方向断面は燕尾形である。特殊要求として、マスカラヘッドの径方向断面が燕尾形として、即ち、円形の対向する両側の一部分を除いて形成される形状として設計されてもよい。
【００２０】
好ましくは、マスカラヘッドは、鉄線（４１）と、鉄線（４１）に巻き付いて燕尾形を構成する複数本のナイロン毛（４２）とを含み、各ナイロン毛（４２）は、末端に弧度を有し、円周方向に均一に分布している。このため、使用者は化粧をしやすい。
【００２１】
好ましくは、蓋（２）の一端の内周側は容器（１）の開口の外周側と緊密にねじ接続する。
【００２２】
好ましくは、固定部（５１）は下端にフック（５１１）を有し、回転部（５２）は上端にフック（５１１）に対応する止め輪（５２２）を有し、止め輪（５２２）はフック（５１１）に対して周方向に回転し、他の方向に係止される。フックと止め輪との連携により、回転部が、周方向に回転でき、他の方向に係止される機能が実現できる。
【００２３】
好ましくは、ブラシロッド（３）は末端に挿入孔（３１）が設けられ、塗付本体（４）は一端に挿入ロッド（４３）が設けられ、挿入ロッド（４３）は挿入孔（３１）に挿入して保持される。挿入ロッドと挿入孔との連携により、塗付本体がブラシロッドに固定的に接続できる。
【００２４】
本考案の特殊形状ヘッドを有する塗付装置は、径方向断面が非円形の特殊形状である塗付本体（４）を有し、ブラシロッド（３）と中栓（５）の擦り落とし孔（５２１）が塗付本体（４）にマッチする形状に設計されており、中栓（５）が回転可能な上下層の構造として設けられることで、特殊形状ヘッドをきれいに擦り落とせず化粧品が堆積するという問題が解決できる。
【００２５】
前述の記載は、特定の本考案の実施様態にすぎない。本考案に開示した技術的範囲において当業者が容易に想到する任意の変形または置換は、本考案の保護範囲に含まれるものとする。
【符号の説明】
【００２６】
１  容器
２  蓋
３  ブラシロッド
３１  挿入孔
４  塗付本体
４１  鉄線
４２  ナイロン毛
４３  挿入ロッド
５  中栓
５１  固定部
５１１  フック
５２  回転部
５２１  擦り落とし孔
５２２  止め輪
【図１】
0003216906.tif 000003
【図２】
0003216906.tif 000004
【図３】
0003216906.tif 000005
【図４】
0003216906.tif 000006
【図５】
0003216906.tif 000007
【図６】
0003216906.tif 000008
【図７】
0003216906.tif 000009
【図８】
0003216906.tif 000010
【図９】
0003216906.tif 000011
【図１０】
0003216906.tif 000012